(57)【要約】  本発明は、無停電電源供給が可能な電源供給装置及び電源供給システムに関し、複数の電源供給装置が接続される電源バスに接続を断続する遮断器を備え、システム上で発生する様々な状況に応じて前記遮断器を開閉して電源の受供給を制御することにより、複数の電源供給装置間でＵＰＳ機能を実行する電源供給装置及び電源供給システムに関する。
2021536217.tif 000002
【特許請求の範囲】
【請求項１】
１つ以上の電源供給源から供給された電源をＤＣ電源に変換する１つ以上の第１電力変換装置と、
前記ＤＣ電源を駆動電源に変換し、負荷に供給する１つ以上の第２電力変換装置と、
前記第１電力変換装置の出力端及び前記第２電力変換装置の入力端が接続される電源端と前記電源端に接続されて前記ＤＣ電源が通過するバスライン間に配置される遮断器とを含み、
前記遮断器は、
前記ＤＣ電源、前記駆動電源、前記第１電力変換装置、及び前記負荷の少なくとも１つの状態によって開閉を変えて、前記電源端と前記バスライン間で前記ＤＣ電源を接続又は切断することを特徴とする電源供給装置。
【請求項２】
前記１つ以上の電源供給源は、
ＡＣ電源を供給する第１交流電源及び第２交流電源を含むことを特徴とする請求項１に記載の電源供給装置。
【請求項３】
前記１つ以上の電源供給源は、
ＤＣ電源を蓄えるバッテリをさらに含み、
前記第２電力変換装置への前記ＤＣ電源の供給が中断されると、前記ＤＣ電源の供給が復旧される間、前記バッテリに蓄えられた電源が前記第１電力変換装置に供給されることを特徴とする請求項２に記載の電源供給装置。
【請求項４】
前記ＤＣ電源の供給が中断されるとは、
前記第１交流電源及び前記第２交流電源の電源供給が中断されること、並びに前記第１交流電源及び前記第２交流電源から電源供給を受ける前記１つ以上の第１電力変換装置の動作が中断されることの１つ以上であることを特徴とする請求項３に記載の電源供給装置。
【請求項５】
前記バッテリは、
前記ＤＣ電源の供給が中断されてから前記ＤＣ電源の供給が切り替えられて復旧されるまで、前記蓄えられた電源を前記第１電力変換装置に無瞬断で供給することを特徴とする請求項３に記載の電源供給装置。
【請求項６】
前記１つ以上の第１電力変換装置は、
前記第１交流電源、前記バッテリ及び前記第２交流電源のそれぞれに接続され、接続された電源供給源から電源が供給される第１〜第３変換装置を含むことを特徴とする請求項３に記載の電源供給装置。
【請求項７】
前記１つ以上の第１電力変換装置は、
前記第１〜第３変換装置のいずれかが動作し、前記第２電力変換装置に前記ＤＣ電源を供給することを特徴とする請求項６に記載の電源供給装置。
【請求項８】
前記１つ以上の第１電力変換装置は、
前記第２電力変換装置に前記ＤＣ電源を供給する変換装置の電源供給が中断されると、前記変換装置以外の他の変換装置により前記第２電力変換装置に前記ＤＣ電源を供給することを特徴とする請求項７に記載の電源供給装置。
【請求項９】
前記変換装置の電源供給が中断されるとは、
前記変換装置、前記変換装置に接続された供給源、及び前記ＤＣ電源の定格のいずれか１つ以上において異常状態が検出されることであることを特徴とする請求項８に記載の電源供給装置。
【請求項１０】
前記１つ以上の第１電力変換装置は、
前記変換装置が前記他の変換装置に切り替えられる間、前記第２変換装置により前記第２電力変換装置に前記ＤＣ電源を供給することを特徴とする請求項８に記載の電源供給装置。
【請求項１１】
前記少なくとも１つの状態は、
前記ＤＣ電源が初期状態から変動した場合、前記駆動電源が初期状態から変動した場合、前記第１電力変換装置の動作状態が変動した場合、及び前記負荷の駆動状態が変動した場合の少なくとも１つであることを特徴とする請求項３に記載の電源供給装置。
【請求項１２】
前記遮断器は、
前記電源端と前記バスライン間で前記ＤＣ電源を接続する場合に閉路され、前記電源端と前記バスライン間で前記ＤＣ電源を切断する場合に開路されることを特徴とする請求項３に記載の電源供給装置。
【請求項１３】
前記遮断器は、
前記１つ以上の第１電力変換装置の電源供給が中断されるか、又は前記バスラインに接続された他の電源供給装置の電源供給が中断されると、前記電源端と前記バスラインが接続されるように閉路され、前記ＤＣ電源を前記電源端から前記バスラインに導通させるか又は前記バスラインから前記電源端に導通させることを特徴とする請求項３に記載の電源供給装置。
【請求項１４】
前記遮断器は、
前記第１交流電源及び前記第２交流電源に接続された変換装置の電源供給が中断されると、前記電源端と前記バスラインが接続されるように閉路され、前記ＤＣ電源を前記バスラインから前記電源端に導通させ、前記ＤＣ電源が前記第２電力変換装置に供給されるようにすることを特徴とする請求項１３に記載の電源供給装置。
【請求項１５】
前記バッテリに接続された変換装置は、
前記第１交流電源及び前記第２交流電源に接続された変換装置の電源供給が中断されてから前記バスラインから導通した前記ＤＣ電源が前記第２電力変換装置に供給されるまで、前記ＤＣ電源を前記第２電力変換装置に供給することを特徴とする請求項１４に記載の電源供給装置。
【請求項１６】
１つ以上の電源供給源から供給された電源をＤＣ電源に変換し、前記ＤＣ電源を負荷の駆動電源に変換し、前記負荷に供給する複数の電源盤と、
前記複数の電源盤のそれぞれにおいて前記ＤＣ電源が入出力される電源端が接続され、前記複数の電源盤で変換された前記ＤＣ電源が導通するバスラインと、
前記電源端のそれぞれと前記バスライン間に配置される複数の遮断器とを含み、
前記複数の遮断器は、
前記複数の電源盤の１つ以上の動作状態によって開閉を変えて、前記電源端と前記バスライン間で前記ＤＣ電源を接続又は切断することを特徴とする電源供給システム。
【請求項１７】
前記１つ以上の電源供給源は、
ＡＣ電源を供給する第１交流電源及び第２交流電源と、
ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含み、
前記バッテリ電源は、
前記電源供給が中断されてから前記電源供給が切り替えられて復旧されるまで、前記蓄えられた電源を前記複数の電源盤に無瞬断で供給することを特徴とする請求項１６に記載の電源供給システム。
【請求項１８】
前記複数の電源盤のそれぞれは、
前記１つ以上の電源供給源から供給された電源を前記ＤＣ電源に変換する１つ以上の第１電力変換装置と、
前記１つ以上の第１電力変換装置から供給された前記ＤＣ電源を前記駆動電源に変換して前記負荷に供給する第２電力変換装置とを含むことを特徴とする請求項１７に記載の電源供給システム。
【請求項１９】
前記複数の電源盤は、
前記１つ以上の電源供給源の状態によって、前記１つ以上の第１電力変換装置のいずれかにより前記第２電力変換装置に前記ＤＣ電源を供給することを特徴とする請求項１８に記載の電源供給システム。
【請求項２０】
前記複数の電源盤は、
前記第２電力変換装置に前記ＤＣ電源を供給する変換装置の電源供給が中断されると、前記変換装置以外の他の変換装置により前記第２電力変換装置に前記ＤＣ電源を供給することを特徴とする請求項１９に記載の電源供給システム。
【請求項２１】
前記１つ以上の第１電力変換装置は、
前記変換装置が前記他の変換装置に切り替えられる間、前記バッテリ電源から電源供給を受ける変換装置により前記第２電力変換装置に前記ＤＣ電源を供給することを特徴とする請求項２０に記載の電源供給システム。
【請求項２２】
前記複数の遮断器は、
前記複数の電源盤の１つ以上の電源供給が中断されると、前記電源供給が中断された電源盤の遮断器と前記電源供給が中断された電源盤に隣接する電源盤の遮断器が閉路され、前記電源供給が中断された電源盤と前記隣接する電源盤が前記バスラインに接続され、前記隣接する電源盤から前記電源供給が中断された電源盤に前記ＤＣ電源が供給されるようにすることを特徴とする請求項１７に記載の電源供給システム。
【請求項２３】
前記電源供給が中断された電源盤は、
前記電源供給が中断されてから前記隣接する電源盤から導通した前記ＤＣ電源が供給されるまで、前記バッテリ電源に接続された変換装置から前記ＤＣ電源が供給されることを特徴とする請求項２２に記載の電源供給システム。
【発明の詳細な説明】
【技術分野】
【０００１】
本発明は、無停電電源供給が可能な電源供給装置及び電源供給システムに関する。
【背景技術】
【０００２】
本発明の背景となる技術は、複数の電源供給装置を含むシステムである。
【０００３】
複数の電源装置がそれぞれの負荷に電源を供給するシステムは、ＤＣバスラインを介して共通に接続されるようにしてもよい。このように共通のバスラインを介して接続された場合、ＤＣバスラインを介して隣接する電源装置と電源を受供給できるという利点がある。しかし、このようにシステムを構成した場合、システムの安定性の問題、電源受供給の制御の困難性、事故発生時の対処方法の不在などの限界がある。
【０００４】
複雑な構成からなる電源装置を複数備えるので、装置間の互換性が劣る場合、システムの運用が安定して行われなくなる。また、各装置から電源供給を受ける負荷が電源供給を常時必要とする重要負荷である場合、異常状態に対応するためのＵＰＳ装置を別途備えることが要求されるが、ＵＰＳ装置を備える場合、システムの構成がさらに複雑になり、構造的／設計的制約によりＵＰＳ装置を備えること自体も容易でないという問題がある。その上、構成が複雑になることにより、各装置及びシステムの制御がさらに複雑にならざるを得ず、故障や事故などの発生の危険性も高くなる。つまり、安定性及び信頼性のある電源供給が困難になり、負荷の運転が不安定にならざるを得ず、様々な事故の発生に対して適切な運転対応が取れなくなるという問題がある。
【発明の概要】
【発明が解決しようとする課題】
【０００５】
本発明は、前述した従来技術の限界を改善することを課題とする。
【０００６】
すなわち、本発明は、従来技術の限界を改善できる電源供給装置及び電源供給システムを提供する。
【０００７】
具体的には、システムに備えられた複数の電源供給装置間で電源の受供給が行われ、複数の電源供給装置のそれぞれが相互間でＵＰＳ機能を実行できる電源供給装置及び電源供給システムを提供する。
【０００８】
また、様々な異常状況で負荷への電源供給を効果的に維持できる電源供給装置及び電源供給システムを提供する。
【０００９】
さらに、様々な異常状況に対処して安定かつ適切に電源の受供給を行える電源供給装置及び電源供給システムを提供する。
【課題を解決するための手段】
【００１０】
上記課題を解決するための本発明による電源供給装置及び電源供給システムは、複数の電源供給装置が接続された電源バスに接続を断続する遮断器を備え、システム上で発生する様々な状況に応じて前記遮断器を開閉して電源の受供給を制御することを解決手段とする。
【００１１】
すなわち、本発明による電源供給装置及び電源供給システムは、複数の電源供給装置に対応する遮断器を備え、前記遮断器を制御して電源バスを介して電源を受供給することにより、前記複数の電源供給装置間でＵＰＳ機能を実行することを技術的特徴とする。
【００１２】
上記技術的特徴は、電源供給装置及び電源供給システムに適用して実施することができ、本発明は、上記技術的特徴を有する電源供給装置及び電源供給システムの実施形態を提供する。
【００１３】
上記技術的特徴を課題解決手段とする本発明の一実施形態による電源供給装置は、１つ以上の電源供給源から供給された電源をＤＣ電源に変換する１つ以上の第１電力変換装置と、前記ＤＣ電源を駆動電源に変換し、負荷に供給する１つ以上の第２電力変換装置と、前記第１電力変換装置の出力端及び前記第２電力変換装置の入力端が接続される電源端と前記電源端に接続されて前記ＤＣ電源が通過するバスライン間に配置される遮断器とを含み、前記遮断器は、前記ＤＣ電源、前記駆動電源、前記第１電力変換装置、及び前記負荷の少なくとも１つの状態によって開閉を変えて、前記電源端と前記バスライン間で前記ＤＣ電源を接続又は切断する。
【００１４】
前記電源供給装置の一実施形態において、前記１つ以上の電源供給源は、ＡＣ電源を供給する第１交流電源及び第２交流電源を含んでもよい。
【００１５】
前記電源供給装置の一実施形態において、前記１つ以上の電源供給源は、ＤＣ電源を蓄えるバッテリをさらに含み、前記第２電力変換装置への前記ＤＣ電源の供給が中断されると、前記ＤＣ電源の供給が復旧される間、前記バッテリに蓄えられた電源が前記第１電力変換装置に供給されるようにしてもよい。
【００１６】
前記電源供給装置の一実施形態において、前記ＤＣ電源の供給が中断されるとは、前記第１交流電源及び前記第２交流電源の電源供給が中断されること、並びに前記第１交流電源及び前記第２交流電源から電源供給を受ける前記１つ以上の第１電力変換装置の動作が中断されることの１つ以上であってもよい。
【００１７】
前記電源供給装置の一実施形態において、前記バッテリは、前記ＤＣ電源の供給が中断されてから前記ＤＣ電源の供給が切り替えられて復旧されるまで、前記蓄えられた電源を前記第１電力変換装置に無瞬断で供給するようにしてもよい。
【００１８】
前記電源供給装置の一実施形態において、前記１つ以上の第１電力変換装置は、前記第１交流電源、前記バッテリ及び前記第２交流電源のそれぞれに接続され、接続された電源供給源から電源が供給される第１〜第３変換装置を含んでもよい。
【００１９】
前記電源供給装置の一実施形態において、前記１つ以上の第１電力変換装置は、前記第１〜第３変換装置のいずれかが動作し、前記第２電力変換装置に前記ＤＣ電源を供給するようにしてもよい。
【００２０】
前記電源供給装置の一実施形態において、前記１つ以上の第１電力変換装置は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００２１】
前記電源供給装置の一実施形態において、前記変換装置の電源供給が中断されるとは、前記変換装置、前記変換装置に接続された供給源、及び前記ＤＣ電源の定格のいずれか１つ以上において異常状態が検出されることであってもよい。
【００２２】
前記電源供給装置の一実施形態において、前記１つ以上の第１電力変換装置は、前記変換装置が前記他の変換装置に切り替えられる間、前記第２変換装置により前記第２電力変換装置に前記ＤＣ電源を供給するようにしてもよい。
【００２３】
前記電源供給装置の一実施形態において、前記少なくとも１つの状態は、前記ＤＣ電源が初期状態から変動した場合、前記駆動電源が初期状態から変動した場合、前記第１電力変換装置の動作状態が変動した場合、及び前記負荷の駆動状態が変動した場合の１つ以上であってもよい。
【００２４】
前記電源供給装置の一実施形態において、前記遮断器は、前記電源端と前記バスライン間で前記ＤＣ電源を接続する場合に閉路され、前記電源端と前記バスライン間で前記ＤＣ電源を切断する場合に開路されるようにしてもよい。
【００２５】
前記電源供給装置の一実施形態において、前記遮断器は、前記１つ以上の第１電力変換装置の電源供給が中断されるか、又は前記バスラインに接続された他の電源供給装置の電源供給が中断されると、前記電源端と前記バスラインが接続されるように閉路され、前記ＤＣ電源を前記電源端から前記バスラインに導通させるか又は前記バスラインから前記電源端に導通させるようにしてもよい。
【００２６】
前記電源供給装置の一実施形態において、前記遮断器は、前記第１交流電源及び前記第２交流電源に接続された変換装置の電源供給が中断されると、前記電源端と前記バスラインが接続されるように閉路され、前記ＤＣ電源を前記バスラインから前記電源端に導通させ、前記ＤＣ電源が前記第２電力変換装置に供給されるようにしてもよい。
【００２７】
前記電源供給装置の一実施形態において、前記バッテリに接続された変換装置は、前記第１交流電源及び前記第２交流電源に接続された変換装置の電源供給が中断されてから前記バスラインから導通した前記ＤＣ電源が前記第２電力変換装置に供給されるまで、前記ＤＣ電源を前記第２電力変換装置に供給するようにしてもよい。
【００２８】
前記電源供給装置の一実施形態において、前記電源供給装置は、前記１つ以上の第１電力変換装置、前記第２電力変換装置及び前記遮断器を制御し、前記１つ以上の電源供給源、前記１つ以上の第１電力変換装置、前記ＤＣ電源、前記駆動電源、及び前記負荷の少なくとも１つの異常状態を監視し、監視結果に基づいて前記電源端と前記バスラインが接続されるように前記遮断器を制御する制御部をさらに含んでもよい。
【００２９】
また、上記技術的特徴を課題解決手段とする本発明の他の実施形態による電源供給装置は、複数の電源供給源のそれぞれから供給された電源をＤＣ電源に変換する複数のコンバータと、前記ＤＣ電源を複数の負荷の駆動のための駆動電源に変換し、前記駆動電源を前記複数の負荷に供給する複数のインバータと、前記複数のコンバータの出力が共通に接続される出力端と前記出力端に接続されるバスライン間に備えられ、前記出力端と前記バスラインの接続を断続する遮断器と、前記ＤＣ電源又は前記駆動電源の状態によって前記遮断器の開閉を制御することにより、前記バスラインを介しての前記ＤＣ電源の受供給を制御する制御部とを含んでもよい。
【００３０】
前記電源供給装置の一実施形態において、前記制御部は、前記複数の電源供給源の状態によって前記複数のコンバータのいずれかを選択し、選択したコンバータにより前記複数のインバータのそれぞれに前記ＤＣ電源を送るように制御してもよい。
【００３１】
前記電源供給装置の一実施形態において、前記制御部は、前記複数のインバータに前記ＤＣ電源を送っているコンバータ及び前記コンバータに対応する電源供給源のいずれか１つ以上に異常が発生すると、前記コンバータ以外の他のコンバータにより前記複数のインバータに前記ＤＣ電源を送るように制御してもよい。
【００３２】
前記電源供給装置の一実施形態において、前記制御部は、前記複数の電源供給源に異常が発生すると、前記遮断器を閉路し、前記バスラインを介して、前記バスラインに接続された他の電源供給装置から前記ＤＣ電源が供給されるように制御してもよい。
【００３３】
前記電源供給装置の一実施形態において、前記制御部は、前記バスラインに接続された他の電源供給装置に異常が発生すると、前記遮断器を閉路し、前記バスラインを介して、前記他の電源供給装置にＤＣ電源が供給されるように制御してもよい。
【００３４】
一方、上記技術的特徴を課題解決手段とする本発明の一実施形態による電源供給システムは、１つ以上の電源供給源から供給された電源をＤＣ電源に変換し、前記ＤＣ電源を負荷の駆動電源に変換し、前記負荷に供給する複数の電源盤と、前記複数の電源盤のそれぞれにおいて前記ＤＣ電源が入出力される電源端が接続され、前記複数の電源盤で変換された前記ＤＣ電源が導通するバスラインと、前記電源端のそれぞれと前記バスライン間に配置される複数の遮断器とを含み、前記複数の遮断器は、前記複数の電源盤の１つ以上の動作状態によって開閉を変えて、前記電源端と前記バスライン間で前記ＤＣ電源を接続又は切断する。
【００３５】
前記電源供給システムの一実施形態において、前記１つ以上の電源供給源は、ＡＣ電源を供給する第１交流電源及び第２交流電源と、ＤＣ電源が蓄えられ、前記第１交流電源及び前記第２交流電源の電源供給が中断されると、前記電源供給が切り替えられて復旧される間、前記バッテリに蓄えられた電源を前記複数の電源盤に供給するバッテリ電源とを含んでもよい。
【００３６】
前記電源供給システムの一実施形態において、前記バッテリ電源は、前記電源供給が中断されてから前記電源供給が切り替えられて復旧されるまで、前記蓄えられた電源を前記複数の電源盤に無瞬断で供給するようにしてもよい。
【００３７】
前記電源供給システムの一実施形態において、前記１つ以上の電源供給源は、前記第１交流電源、前記第２交流電源及び前記バッテリ電源の電源供給が中断されると、非常発電電源を前記負荷に供給する非常用電源をさらに含んでもよい。
【００３８】
前記電源供給システムの一実施形態において、前記複数の電源盤のそれぞれは、前記１つ以上の電源供給源から供給された電源を前記ＤＣ電源に変換する１つ以上の第１電力変換装置と、前記１つ以上の第１電力変換装置から供給された前記ＤＣ電源を前記駆動電源に変換して前記負荷に供給する第２電力変換装置とを含んでもよい。
【００３９】
前記電源供給システムの一実施形態において、前記複数の電源盤は、前記１つ以上の電源供給源の状態によって、前記１つ以上の第１電力変換装置のいずれかにより前記第２電力変換装置に前記ＤＣ電源を供給するようにしてもよい。
【００４０】
前記電源供給システムの一実施形態において、前記複数の電源盤は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００４１】
前記電源供給システムの一実施形態において、前記１つ以上の第１電力変換装置は、前記変換装置が前記他の変換装置に切り替えられる間、前記バッテリ電源から電源供給を受ける変換装置により前記第２電力変換装置に前記ＤＣ電源を供給するようにしてもよい。
【００４２】
前記電源供給システムの一実施形態において、前記複数の遮断器は、前記電源端と前記バスライン間で前記ＤＣ電源を接続する場合に閉路され、前記電源端と前記バスライン間で前記ＤＣ電源を切断する場合に開路されるようにしてもよい。
【００４３】
前記電源供給システムの一実施形態において、前記複数の遮断器は、前記複数の電源盤の１つ以上の電源供給が中断されると、前記電源供給が中断された電源盤の遮断器及び前記電源供給が中断された電源盤に隣接する電源盤の遮断器が閉路され、前記電源供給が中断された電源盤と前記隣接する電源盤が前記バスラインに接続され、前記隣接する電源盤から前記電源供給が中断された電源盤に前記ＤＣ電源が供給されるようにしてもよい。
【００４４】
前記電源供給システムの一実施形態において、前記電源供給が中断された電源盤は、前記電源供給が中断されてから前記隣接する電源盤から導通した前記ＤＣ電源が供給されるまで、前記バッテリ電源に接続された変換装置から前記ＤＣ電源が供給されるようにしてもよい。
【００４５】
前記電源供給システムの一実施形態において、前記電源供給システムは、前記複数の電源盤及び前記複数の遮断器の少なくとも１つの状態を監視し、監視結果に基づいて前記複数の電源盤及び前記複数の遮断器の少なくとも１つを制御する制御装置をさらに含んでもよい。
【００４６】
また、上記技術的特徴を課題解決手段とする本発明の他の実施形態による電源供給システムは、複数の負荷と、複数の電源供給源のそれぞれから供給された電源をＤＣ電源に変換し、前記ＤＣ電源を前記複数の負荷の駆動のための駆動電源に変換し、前記駆動電源を前記複数の負荷に供給する複数の電源盤と、前記複数の電源盤のそれぞれにおいて前記ＤＣ電源が出力される出力端が共通に接続され、前記複数の電源盤で変換された前記ＤＣ電源が送られるバスラインと、前記出力端のそれぞれと前記バスラインが接続される電路に備えられ、前記複数の電源盤のそれぞれと前記バスラインの接続を断続する複数の遮断器と、前記複数の電源盤のそれぞれの状態によって前記複数の遮断器の開閉を制御することにより、前記バスラインを介しての前記複数の電源盤間の前記ＤＣ電源の受供給を制御する制御装置とを含む。
【００４７】
前記電源供給システムの一実施形態において、前記複数の電源盤は、前記複数の電源供給源の状態によって前記ＤＣ電源への変換を行う複数のコンバータのいずれかを選択し、選択したコンバータにより前記駆動電源への変換を行う複数のインバータのそれぞれに前記ＤＣ電源を送るようにしてもよい。
【００４８】
前記電源供給システムの一実施形態において、前記複数の電源盤は、前記駆動電源への変換を行う複数のインバータに前記ＤＣ電源を送っているコンバータ及び前記コンバータに対応する電源供給源のいずれか１つ以上に異常が発生すると、前記コンバータ以外の他のコンバータにより前記複数のインバータに前記ＤＣ電源を送るようにしてもよい。
【００４９】
前記電源供給システムの一実施形態において、前記制御装置は、前記複数の電源盤のいずれか１つ以上に異常が発生すると、前記異常が発生した電源盤及び前記異常が発生した電源盤に最も隣接する電源盤の遮断器を閉路し、前記バスラインを介して、前記隣接する電源盤から前記異常が発生した電源盤に前記ＤＣ電源が供給されるように制御してもよい。
【００５０】
前述したような本発明による電源供給装置及び電源供給システムは、ＤＣ電源を供給／使用する電源供給モジュール、電源供給装置、電源供給システム、電源供給システムの運用方法に適用して実施することができる。特に、ＤＣ ＵＰＳモジュール及びそれを備える電源供給システムに有効に適用して実施することができる。しかし、本明細書に開示される技術は、これらに限定されるものではなく、当該技術の技術的思想を適用できるあらゆる電源装置、電源供給装置、電源制御装置、電源供給システム、電力システム、電力制御システム、プラントシステム、プラント制御システム、プラント制御方法、エネルギー蓄積システム、エネルギー蓄積システムの制御方法又は運用方法、複数のモータ負荷を制御するモータ制御盤、モータ制御システム、モータ運転システムなどにも適用して実施することができる。
【発明の効果】
【００５１】
本発明による電源供給装置及び電源供給システムは、電源バスに接続された複数の電源供給装置のそれぞれの遮断器を制御して電源バスを介して電源が受供給されるようにすることにより、複数の電源供給装置間でＵＰＳ機能を実行することができるという効果がある。
【００５２】
よって、系統／システム上で様々な異常状況が発生しても、負荷への電源供給を中断することなく維持できるという効果がある。
【００５３】
すなわち、本発明による電源供給装置及び電源供給システムは、系統／システム上で発生する様々な異常状況に対処して適切かつ安定して電源供給を行えるという効果がある。
【００５４】
また、本発明による電源供給装置及び電源供給システムは、電源バスに接続された複数の電源供給装置のそれぞれの遮断器を異常状況に応じて制御して電源バスを介して電源が受供給されるようにすることにより、最小限の手段で効率的な運用を行えるという効果がある。
【００５５】
さらに、本発明による電源供給装置及び電源供給システムは、大容量システムの運用の安定性、信頼性及び効用性を増大させるという効果がある。
【００５６】
その結果、本発明による電源供給装置及び電源供給システムは、上記課題を解決し、従来技術の限界を改善できるという効果がある。
【図面の簡単な説明】
【００５７】
【図１】本発明による電源モジュールの構成を示す構成図である。
【図２】本発明による電源モジュールの具体的な回路構成を示す構成図である。
【図３】本発明による電源モジュールの具体的な構造構成を示す構成図である。
【図４】本発明による電源モジュールが備えられる電源供給システムの構成を示す構成図である。
【図５】本発明による電源供給システムの具体例を示す第１例示図である。
【図６】本発明による電源供給システムの具体例を示す第２例示図である。
【図７】本発明による電源供給システムの具体例を示す第３例示図である。
【図８】本発明による電源供給システムの具体例を示す第４例示図である。
【発明を実施するための形態】
【００５８】
本明細書で用いられる技術用語は、単に特定の実施形態を説明するために用いられるものであり、本明細書に開示される技術の思想を限定するものではない。また、本明細書で用いられる技術用語は、本明細書において特に断らない限り、本明細書に開示される技術の属する分野における通常の知識を有する者に一般的に理解される意味で解釈されるべきであり、非常に包括的な意味で解釈されたり、非常に狭い意味で解釈されたりしてはならない。さらに、本明細書で用いられる技術用語が本明細書に開示される技術の思想を正確に表現できない誤った技術用語である場合は、当業者が正しく理解できる技術用語で代替して理解すべきである。さらに、本明細書で用いられる一般的な用語は、辞書の定義に従って、又は前後の文脈によって解釈されなければならず、非常に狭い意味で解釈されてはならない。
【００５９】
さらに、本明細書で用いられる単数の表現には、特に断らない限り、複数の表現が含まれる。本明細書において、「構成される」や「含む」などの用語は、明細書に記載された様々な構成要素又は段階の全てを必ず含むものと解釈されてはならず、そのうち一部の構成要素又は段階を含まないこともあり、さらなる構成要素又は段階を含むこともあるものと解釈されるべきである。
【００６０】
以下、添付図面を参照して本発明の実施形態を詳細に説明するが、図面番号に関係なく同一又は類似の構成要素には同一の符号を付し、それについての説明は省略する。
【００６１】
また、本発明を説明するにあたり、関連する公知技術についての具体的な説明が本発明の要旨を不明にすると判断される場合は、その詳細な説明を省略する。なお、添付図面は本発明の技術思想を容易に理解できるようにするためのものにすぎず、添付図面によりその技術の思想が制限されるように解釈されてはならない。
【００６２】
まず、本発明による電源供給装置について説明する。
【００６３】
以下に説明する前記電源供給装置の実施形態は、独立して実施することもでき、以下に説明する前記電源供給システムの実施形態と組み合わせて実施することもできる。
【００６４】
前記電源供給装置は、後述する実施形態の組み合わせ又は区分された形態で実施することができる。
【００６５】
前記電源供給装置は、複数の電源制御装置が含まれるモジュールであってもよい。
【００６６】
前記電源供給装置は、前記複数の電源制御装置をパッケージ化した電源装置であってもよい。
【００６７】
例えば、前記電源供給装置は、前記複数の電源制御装置をパッケージ化した電源盤であってもよい。
【００６８】
前記電源供給装置は、発電所、プラント、工場、ビル、マンションなど高電力を必要とする建物に備えられて電源を供給するパッケージ型電源盤であってもよい。
【００６９】
また、前記電源供給装置は、ある１つの空間に構成されるパッケージ型電源盤であってもよい。
【００７０】
前記電源供給装置は、前記複数の電源制御装置がパッケージ化され、負荷に電源を供給するようにしてもよい。
【００７１】
電源供給装置１００（以下、供給装置という）は、図１に示すように、１つ以上の電源供給源１０から供給された電源をＤＣ電源に変換する１つ以上の第１電力変換装置１１０と、前記ＤＣ電源を駆動電源に変換し、負荷２０に供給する１つ以上の第２電力変換装置１２０と、第１電力変換装置１１０の出力端及び第２電力変換装置１２０の入力端が接続される電源端と前記電源端に接続されて前記ＤＣ電源が通過するバスライン１間に配置される遮断器１３０とを含む。
【００７２】
供給装置１００において、遮断器１３０は、前記ＤＣ電源、前記駆動電源、第１電力変換装置１１０、及び負荷２０の少なくとも１つの状態によって開閉を変えて、前記電源端とバスライン１間で前記ＤＣ電源を接続又は切断する。
【００７３】
このように、供給装置１００は、第１電力変換装置１１０、第２電力変換装置１２０及び遮断器１３０を含み、１つ以上の電源供給源１０から供給された電源を前記駆動電源に変換し、負荷２０に供給する。
【００７４】
第１電力変換装置１１０、第２電力変換装置１２０及び遮断器１３０を含む供給装置１００の具体的な構成は、図２及び図３に示すようにしてもよい。
【００７５】
供給装置１００に電源を供給する１つ以上の電源供給源１０は、外部から１つ以上の第１電力変換装置１１０に接続され、１つ以上の第１電力変換装置１１０に電源を供給するようにしてもよい。
【００７６】
１つ以上の電源供給源１０は、複数からなるようにしてもよい。
【００７７】
１つ以上の電源供給源１０は、１つ以上の第１電力変換装置１１０に接続され、１つ以上の第１電力変換装置１１０に直流又は交流電源を供給するようにしてもよい。
【００７８】
１つ以上の電源供給源１０は、異なる電源供給源を含むようにしてもよい。
【００７９】
１つ以上の電源供給源１０は、図２及び図３に示すように、ＡＣ電源を供給する第１交流電源１０＃１及び第２交流電源１０＃３を含んでもよい。
【００８０】
１つ以上の電源供給源１０は、ＤＣ電源を蓄えるバッテリ１０＃２をさらに含んでもよい。
【００８１】
１つ以上の電源供給源１０は、図２及び図３に示すように、３つの異なる電源供給源１０＃１〜１０＃３を含み、また、３つの異なる電源供給源１０＃１〜１０＃３のそれぞれは、ＡＣ電源を供給する第１交流電源１０＃１、ＤＣ電源を蓄えるバッテリ１０＃２、及びＡＣ電源を供給する第２交流電源１０＃３であることが好ましい。
【００８２】
これによれば、供給装置１００は、２つ以上の交流電源及び１つ以上の直流電源の供給を受けることができる。
【００８３】
第１交流電源１０＃１は、系統電源Ｇであってもよい。
【００８４】
第１交流電源１０＃１は、４４０［Ｖ］のＡＣ電源を供給する系統電源Ｇであってもよい。
【００８５】
第２交流電源１０＃３は、バイパス電源Ｐであってもよい。
【００８６】
第２交流電源１０＃３は、４４０［Ｖ］のＡＣ電源を供給するバイパス電源Ｐであってもよい。
【００８７】
バッテリ１０＃２は、ＤＣ電源を蓄え、非常時に蓄えられたＤＣ電源を供給する非常用バッテリであってもよい。
【００８８】
バッテリ１０＃２は、第１交流電源１０＃１及び第２交流電源１０＃３に異常が発生すると、蓄えられたＤＣ電源を供給装置１００に供給するようにしてもよい。
【００８９】
よって、１つ以上の電源供給源１０は、第２電力変換装置１２０への前記ＤＣ電源の供給が中断されると、前記ＤＣ電源の供給が復旧される間、バッテリ１０＃２に蓄えられた電源が第１電力変換装置１１０に供給されるようにすることができる。
【００９０】
ここで、前記ＤＣ電源の供給が中断されるとは、第１交流電源１０＃１及び第２交流電源１０＃３の電源供給が中断されること、並びに第１交流電源１０＃１及び第２交流電源１０＃３から電源供給を受ける１つ以上の第１電力変換装置１１０の動作が中断されることの１つ以上であってもよい。
【００９１】
バッテリ１０＃２は、前記ＤＣ電源の供給が中断されてから前記ＤＣ電源の供給が切り替えられて復旧されるまで、前記蓄えられた電源を第１電力変換装置１１０に無瞬断で供給するようにしてもよい。
【００９２】
前記無瞬断で供給するとは、電源供給が中断されないように、すなわち停電が発生しないように、前記蓄えられた電源を第１電力変換装置１１０に供給することを意味する。
【００９３】
よって、供給装置１００においては、バッテリ１０＃２により負荷２０への電源供給を無瞬断で行うことができ、負荷２０への無停電電源供給を行うことができる。
【００９４】
第１電力変換装置１１０は、複数からなるようにしてもよい。
【００９５】
第１電力変換装置１１０は、供給された電源をＤＣ電源に変換する装置であり、例えばコンバータであってもよい。
【００９６】
第１電力変換装置１１０は、ＡＣ電源をＤＣ電源に変換するＡＣ／ＤＣコンバータであってもよく、ＤＣ電源をＤＣ電源に変換するＤＣ／ＤＣコンバータであってもよい。
【００９７】
１つ以上の第１電力変換装置１１０は、ＡＣ電源をＤＣ電源に変換するＡＣ／ＤＣコンバータ及びＤＣ電源のレベルを変換するＤＣ／ＤＣコンバータの１つ以上を含んでもよい。
【００９８】
１つ以上の第１電力変換装置１１０は、第１交流電源１０＃１、バッテリ１０＃２及び第２交流電源１０＃３のそれぞれに接続され、接続された電源供給源から電源が供給される第１〜第３変換装置１１０＃１〜＃３を含んでもよい。
【００９９】
１つ以上の第１電力変換装置１１０は、１つ以上の電源供給源１０のそれぞれに対応して、３つの変換装置１１０＃１〜＃３を含んでもよい。
【０１００】
これによれば、第１交流電源１０＃１は、第１変換装置１１０＃１に接続され、第１変換装置１１０＃１にＡＣ電源を供給し、バッテリ１０＃２は、第２変換装置１１０＃２に接続され、第２変換装置１１０＃２にＤＣ電源を供給し、第２交流電源１０＃３は、第３変換装置１１０＃３に接続され、第３変換装置１１０＃３にＡＣ電源を供給することになる。
【０１０１】
第１変換装置１１０＃１は、ＡＣ電源をＤＣ電源に変換するＡＣ／ＤＣ変換装置であってもよく、また、第２変換装置１１０＃２は、ＤＣ電源のレベルを変換するＤＣ／ＤＣ変換装置であってもよく、また、第３変換装置１１０＃３は、ＡＣ電源をＤＣ電源に変換するＡＣ／ＤＣ変換装置であってもよい。
【０１０２】
１つ以上の第１電力変換装置１１０のそれぞれは、前段及び後段のそれぞれに接続を開閉する開閉手段を含んでもよい。
【０１０３】
前記開閉手段は、１つ以上の第１電力変換装置１１０のそれぞれの入力端及び出力端のそれぞれに備えられ、１つ以上の第１電力変換装置１１０において入出力される電源を断続するスイッチであってもよい。
【０１０４】
ここで、前記入力端に備えられる開閉手段は、過電流を検知して回路を遮断する遮断器であってもよい。
【０１０５】
より具体的には、第１交流電源１０＃１及び第２交流電源１０＃３からＡＣ電源が供給される第１変換装置１１０＃１及び第３変換装置１１０＃３の入力端には、交流気中遮断器（ACB: Air Circuit Breaker）が備えられ、バッテリ１０＃２からＤＣ電源が供給される第２変換装置１１０＃２の入力端には、直流配線用遮断器（MCCB: Molded Circuit Breaker）が備えられてもよい。
【０１０６】
前記開閉手段は、１つ以上の第１電力変換装置１１０の動作によって１つ以上の第１電力変換装置１１０の接続を開閉するようにしてもよい。
【０１０７】
例えば、１つ以上の電源供給源１０から電源供給を受けない場合、前記入力端及び前記出力端のそれぞれに備えられる開閉手段が開路され、当該第１電力変換装置１１０の接続が分離されるようにしてもよい。
【０１０８】
１つ以上の第１電力変換装置１１０は、前記出力端が１つの電路に接続されるようにしてもよい。
【０１０９】
すなわち、１つ以上の第１電力変換装置１１０は、前記出力端が共通に接続され、１つ以上の第１電力変換装置１１０で変換された前記ＤＣ電源が流れるようにしてもよい。
【０１１０】
よって、前記出力端は、１つ以上の第１電力変換装置１１０の出力端が共通に接続され、１つ以上の第１電力変換装置１１０から出力された前記ＤＣ電源が流れる電路であってもよい。
【０１１１】
前記出力端は、バスライン１及び複数の第２電力変換装置１２０のそれぞれの入力端に接続され、前記ＤＣ電源がバスライン１又は複数の第２電力変換装置１２０に送られるようにしてもよい。
【０１１２】
１つ以上の第１電力変換装置１１０で変換されて出力された前記ＤＣ電源は、第２電力変換装置１２０に送られるようにしてもよい。
【０１１３】
１つ以上の第１電力変換装置１１０は、第１〜第３変換装置１１０＃１〜＃３のいずれかが動作し、第２電力変換装置１２０に前記ＤＣ電源を供給するようにしてもよい。
【０１１４】
供給装置１００は、第２電力変換装置１２０に前記ＤＣ電源を供給する変換装置１１０＃１〜＃３の電源供給が中断されると、１つ以上の第１電力変換装置１１０の変換装置１１０＃１〜＃３以外の他の変換装置により第２電力変換装置１２０に前記ＤＣ電源を供給するようにしてもよい。
【０１１５】
ここで、変換装置１１０＃１〜＃３の電源供給が中断されるとは、変換装置１１０＃１〜＃３、変換装置１１０＃１〜＃３に接続された供給源、及び前記ＤＣ電源の定格のいずれか１つ以上において異常状態が検出されることであってもよい。
【０１１６】
例えば、第１交流電源１０＃１に接続された第１変換装置１１０＃１が第２電力変換装置１２０に前記ＤＣ電源を供給している間に、第１変換装置１１０＃１から出力される前記ＤＣ電源の定格が低下して所定基準以下になると、第１変換装置１１０＃１以外の他の変換装置である第３変換装置１１０＃３により第２電力変換装置１２０に前記ＤＣ電源が供給されるようにしてもよい。
【０１１７】
この場合、１つ以上の第１電力変換装置１１０は、第１変換装置１１０＃１が第３変換装置１１０＃３に切り替えられる間、バッテリ１０＃２に接続された第２変換装置１１０＃２により第２電力変換装置１２０に前記ＤＣ電源を供給するようにしてもよい。
【０１１８】
すなわち、バッテリ１０＃２に接続された第２変換装置１１０＃２は、第２電力変換装置１２０への前記ＤＣ電源の供給が中断されると、前記ＤＣ電源の供給が切り替えられて復旧されるまで、第２電力変換装置１２０に前記ＤＣ電源を供給するようにしてもよい。
【０１１９】
第２電力変換装置１２０は、複数からなるようにしてもよい。
【０１２０】
第２電力変換装置１２０は、供給されたＤＣ電源を前記駆動電源に変換する装置であり、例えばインバータであってもよい。
【０１２１】
第２電力変換装置１２０は、前記負荷がＡＣ電源で駆動される負荷である場合、第１電力変換装置１１０からのＤＣ電源をＡＣの駆動電源に変換するインバータであってもよい。
【０１２２】
第２電力変換装置１２０は、前記負荷がＤＣ電源で駆動される負荷である場合、第１電力変換装置１１０からのＤＣ電源をＤＣの駆動電源に変換するインバータであってもよい。
【０１２３】
第２電力変換装置１２０は、負荷２０に対応する数で備えられてもよい。
【０１２４】
負荷２０は、複数からなるようにしてもよい。
【０１２５】
第２電力変換装置１２０は、負荷２０に対応して、３つ以上のインバータ１２０＃１〜＃３を含んでもよい。
【０１２６】
第２電力変換装置１２０のそれぞれは、負荷２０のそれぞれに接続され、接続された負荷２０に前記駆動電源を供給するようにしてもよい。
【０１２７】
第２電力変換装置１２０のそれぞれは、前段に接続を開閉する開閉手段を含んでもよい。
【０１２８】
前記開閉手段は、第２電力変換装置１２０のそれぞれの入力端に備えられ、第２電力変換装置１２０に入力される電源を断続するスイッチであってもよい。
【０１２９】
ここで、前記入力端に備えられる開閉手段は、過電流を検知して回路を遮断する遮断器であってもよい。
【０１３０】
第２電力変換装置１２０で変換されて出力される前記駆動電源は、負荷２０のそれぞれに送られるようにしてもよい。
【０１３１】
ここで、負荷２０は、電動機（Ｍ）負荷を含んでもよい。
【０１３２】
遮断器１３０は、ＤＣ電源を遮断するＤＣ遮断器であってもよい。
【０１３３】
遮断器１３０は、１つ以上の第１電力変換装置１１０のそれぞれの出力端及び第２電力変換装置１２０の入力端が接続される前記電源端と、前記電源端に接続されるバスライン１間に備えられてもよい。
【０１３４】
すなわち、遮断器１３０は、供給装置１００の前記電源端とバスライン１間に備えられ、供給装置１００とバスライン１の接続を断続するようにしてもよい。
【０１３５】
これによれば、供給装置１００は、前記電源端を介してバスライン１に接続され、遮断器１３０の開閉によりバスライン１との接続を断続することができる。
【０１３６】
バスライン１は、ＤＣ電源が流れるＤＣバスラインであってもよい。
【０１３７】
バスライン１とは、複数の電源供給源が共通に接続され、電源が送られるＤＣ専用電路を意味する。
【０１３８】
バスライン１は、複数のＤＣ電源供給源に接続され、前記複数のＤＣ電源供給源から供給されるＤＣ電源が送られるようにしてもよい。
【０１３９】
例えば、バスライン１は、供給装置１００以外の他の電源供給装置に接続され、供給装置１００と前記他の電源供給装置間でＤＣ電源が送られるようにしてもよい。
【０１４０】
バスライン１は、少なくとも１つないし２つの第１電力変換装置１１０から供給されるＤＣ電源の大きさの定格であってもよい。
【０１４１】
すなわち、バスライン１の定格は、少なくとも２つの第１電力変換装置１１０から供給されるＤＣ電源が送られる定格であってもよい。
【０１４２】
バスライン１は、バスライン１に接続された全ての電源盤間でＤＣ電源を送ることができる大きさの定格であることが好ましい。
【０１４３】
バスライン１は、遮断器１３０の開閉により前記ＤＣ電源が流れるようにしてもよい。
【０１４４】
バスライン１は、遮断器１３０の開閉動作により前記ＤＣ電源が導通するようにしてもよい。
【０１４５】
前記電源端とバスライン１間に配置されて前記電源端とバスライン１を接続又は切断する遮断器１３０は、ＤＣ専用配線用遮断器（ＭＣＣＢ）であってもよい。
【０１４６】
遮断器１３０は、前記ＤＣ電源、前記駆動電源、第１電力変換装置１１０、及び負荷２０の少なくとも１つの状態によって開閉を変えて、前記電源端とバスライン１間で前記ＤＣ電源を接続又は切断するようにしてもよい。
【０１４７】
ここで、前記少なくとも１つの状態は、前記ＤＣ電源が初期状態から変動した場合、前記駆動電源が初期状態から変動した場合、第１電力変換装置１１０の動作状態が変動した場合、及び負荷２０の駆動状態が変動した場合の１つ以上であってもよい。
【０１４８】
例えば、前記少なくとも１つの状態は、前記ＤＣ電源又は前記駆動電源が基準定格以下となった場合、第１電力変換装置１１０に故障／事故が発生して動作状態が変動した場合、又は負荷２０に供給される前記駆動電源が低下して負荷２０の駆動状態が変動した場合であってもよい。
【０１４９】
遮断器１３０は、平時に開路され、動作時に閉路されることにより、前記出力端とバスライン１の接続を断続するようにしてもよい。
【０１５０】
すなわち、遮断器１３０は、平時に開路されて前記出力端とバスライン１を分離し、動作時に閉路されて前記出力端とバスライン１を接続するようにしてもよい。
【０１５１】
遮断器１３０は、前記電源端とバスライン１間で前記ＤＣ電源を接続する場合に閉路され、前記電源端とバスライン１間で前記ＤＣ電源を切断する場合に開路されるようにしてもよい。
【０１５２】
遮断器１３０は、１つ以上の第１電力変換装置１１０の電源供給が中断されるか、又はバスライン１に接続された他の電源供給装置の電源供給が中断されると、前記電源端とバスライン１が接続されるように閉路され、前記ＤＣ電源を前記電源端からバスライン１に導通させるか又はバスライン１から前記電源端に導通させるようにしてもよい。
【０１５３】
遮断器１３０は、１つ以上の第１電力変換装置１１０の電源供給が中断されると、前記電源端とバスライン１が接続されるように閉路され、前記ＤＣ電源をバスライン１から前記電源端に導通させ、前記ＤＣ電源が前記電源端に供給されるようにしてもよい。
【０１５４】
遮断器１３０は、第１交流電源１０＃１及び第２交流電源１０＃３に接続された変換装置の電源供給が中断されると、前記電源端とバスライン１が接続されるように閉路され、前記ＤＣ電源をバスライン１から前記電源端に導通させ、前記ＤＣ電源が第２電力変換装置１２０に供給されるようにしてもよい。
【０１５５】
この場合、バッテリ１０＃２に接続された変換装置は、第１交流電源１０＃１及び第２交流電源１０＃３に接続された変換装置の電源供給が中断されてから、バスライン１から導通した前記ＤＣ電源が第２電力変換装置１２０に供給されるまで、第２電力変換装置１２０に前記ＤＣ電源を供給するようにしてもよい。
【０１５６】
すなわち、バッテリ１０＃２に接続された変換装置は、第２電力変換装置１２０への前記ＤＣ電源の供給が切り替えられて復旧されるまで、第２電力変換装置１２０への前記ＤＣ電源の供給が維持されるようにしてもよい。
【０１５７】
遮断器１３０は、バスライン１に接続された他の電源供給装置の電源供給が中断されると、前記電源端とバスライン１が接続されるように閉路され、前記ＤＣ電源を前記電源端からバスライン１に導通させ、前記ＤＣ電源がバスライン１に供給されるようにしてもよい。
【０１５８】
前述したように、１つ以上の第１電力変換装置１１０、第２電力変換装置１２０及び遮断器１３０を含む供給装置１００は、１つ以上の第１電力変換装置１１０、第２電力変換装置１２０及び遮断器１３０を制御し、１つ以上の電源供給源１０、１つ以上の第１電力変換装置１１０、前記ＤＣ電源、前記駆動電源、及び前記負荷の少なくとも１つの異常状態を監視し、監視結果に基づいて前記電源端とバスライン１が接続されるように遮断器１３０を制御する制御部１４０をさらに含んでもよい。
【０１５９】
制御部１４０は、供給装置１００の中央制御装置であってもよい。
【０１６０】
制御部１４０は、供給装置１００の制御のための複数の制御手段を含んでもよい。
【０１６１】
また、制御部１４０は、供給装置１００の機能実行のための複数の電子機器をさらに含んでもよい。
【０１６２】
例えば、制御部１４０は、供給装置１００の機能実行及び制御のためのソフトウェア／アプリケーション／プログラムが格納される格納手段、前記格納手段が含まれる専用制御手段、通信手段、表示手段及び入力手段の１つ以上を含んでもよい。
【０１６３】
制御部１４０は、１つ以上の第１電力変換装置１１０、第２電力変換装置１２０及び遮断器１３０を制御するようにしてもよい。
【０１６４】
制御部１４０は、１つ以上の第１電力変換装置１１０、第２電力変換装置１２０及び遮断器１３０を制御するＰＬＣ（Programmable Logic Controller）を含んでもよい。
【０１６５】
制御部１４０は、１つ以上の第１電力変換装置１１０、第２電力変換装置１２０及び遮断器１３０の状態を監視し、監視結果に基づいて１つ以上の第１電力変換装置１１０、第２電力変換装置１２０及び遮断器１３０の動作を制御するようにしてもよい。
【０１６６】
また、制御部１４０は、１つ以上の電源供給源１０及び負荷２０の状態に基づいて、１つ以上の第１電力変換装置１１０、第２電力変換装置１２０及び遮断器１３０の動作を制御するようにしてもよい。
【０１６７】
制御部１４０は、１つ以上の第１電力変換装置１１０のそれぞれの動作を制御して、前記ＤＣ電源の変換及び供給を制御してもよい。
【０１６８】
例えば、１つ以上の第１電力変換装置１１０のうち制御対象変換装置の動作を制御し、前記制御対象変換装置により、供給された電源を前記ＤＣ電源に変換して第２電力変換装置１２０に供給するように制御してもよい。
【０１６９】
また、制御部１４０は、１つ以上の第１電力変換装置１１０に含まれる開閉手段のそれぞれの開閉を制御してもよい。
【０１７０】
制御部１４０は、第２電力変換装置１２０のそれぞれの動作を制御して、前記駆動電源の変換及び供給を制御してもよい。
【０１７１】
例えば、第２電力変換装置１２０のうち制御対象インバータの動作を制御し、前記制御対象インバータにより、前記ＤＣ電源を前記駆動電源に変換して負荷２０に供給するように制御してもよい。
【０１７２】
また、制御部１４０は、第２電力変換装置１２０に含まれる開閉手段のそれぞれの開閉を制御してもよい。
【０１７３】
制御部１４０は、遮断器１３０の動作を制御することにより、前記ＤＣ電源の受給及び供給を制御するようにしてもよい。
【０１７４】
例えば、制御部１４０は、遮断器１３０を閉路することにより、バスライン１から前記ＤＣ電源が供給されるか、又はバスライン１に前記ＤＣ電源が供給されるように制御してもよい。
【０１７５】
また、制御部１４０は、外部の通信装置及び制御装置の少なくとも１つと通信を行い、通信実行結果に基づいて、１つ以上の第１電力変換装置１１０、第２電力変換装置１２０及び遮断器１３０の動作を制御するようにしてもよい。
【０１７６】
例えば、制御部１４０は、前記制御装置から１つ以上の第１電力変換装置１１０、第２電力変換装置１２０及び遮断器１３０の少なくとも１つの動作制御に関する制御命令を受け取り、前記制御命令に基づいて１つ以上の第１電力変換装置１１０、第２電力変換装置１２０及び遮断器１３０の少なくとも１つの動作を制御してもよい。
【０１７７】
制御部１４０は、１つ以上の電源供給源１０のいずれかから供給された電源が前記ＤＣ電源に変換されるように制御してもよい。
【０１７８】
すなわち、制御部１４０は、１つ以上の電源供給源１０のいずれかから選択的に電源が供給されるように制御してもよい。
【０１７９】
制御部１４０は、予め設定された供給基準に基づいて、１つ以上の電源供給源１０のいずれかから供給された電源が前記ＤＣ電源に変換されるように制御してもよい。
【０１８０】
前記供給基準は、１つ以上の電源供給源１０の電源供給優先順位に関する基準であってもよい。
【０１８１】
例えば、前記電源供給優先順位は、第１交流電源１０＃１、第２交流電源１０＃３、バッテリ１０＃２の順に設定されてもよい。
【０１８２】
前記供給基準が前記電源供給優先順位に関する基準である場合、制御部１４０は、第１交流電源１０＃１、第２交流電源１０＃３、バッテリ１０＃２の順に電源を供給するように制御してもよい。
【０１８３】
制御部１４０は、第１交流電源１０＃１から電源が供給される場合、第１交流電源１０＃１に接続された第１変換装置１１０＃１の動作を制御するようにしてもよい。
【０１８４】
この場合、制御部１４０は、第１変換装置１１０＃１の開閉手段を閉路し、第２変換装置１１０＃２及び第３変換装置１１０＃３の開閉手段を開路することにより、第１変換装置１１０＃１を接続し、第２変換装置１１０＃２及び第３変換装置１１０＃３を分離するようにしてもよい。
【０１８５】
制御部１４０は、第２交流電源１０＃３から電源が供給される場合、第２交流電源１０＃３に接続された第３変換装置１１０＃３の動作を制御するようにしてもよい。
【０１８６】
この場合、制御部１４０は、第３変換装置１１０＃３の開閉手段を閉路し、第１変換装置１１０＃１及び第２変換装置１１０＃２の開閉手段を開路することにより、第３変換装置１１０＃３を接続し、第１変換装置１１０＃１及び第２変換装置１１０＃２を分離するようにしてもよい。
【０１８７】
制御部１４０は、バッテリ１０＃２から電源が供給される場合、バッテリ１０＃２に接続された第２変換装置１１０＃２の動作を制御するようにしてもよい。
【０１８８】
この場合、制御部１４０は、第２変換装置１１０＃２の開閉手段を閉路し、第１変換装置１１０＃１及び第３変換装置１１０＃３の開閉手段を開路することにより、第２変換装置１１０＃２を接続し、第１変換装置１１０＃１及び第３変換装置１１０＃３を分離するようにしてもよい。
【０１８９】
制御部１４０は、１つ以上の電源供給源１０の状態によって１つ以上の第１電力変換装置１１０のいずれかを選択し、選択した第１電力変換装置１１０により第２電力変換装置１２０のそれぞれに前記ＤＣ電源を送るように制御してもよい。
【０１９０】
すなわち、制御部１４０は、１つ以上の第１電力変換装置１１０から選択した１つの第１電力変換装置１１０により、供給された電源を前記ＤＣ電源に変換して第２電力変換装置１２０に送るように制御してもよい。
【０１９１】
例えば、１つ以上の電源供給源１０のうち、第１交流電源１０＃１及び第２交流電源１０＃３に異常が発生すると、バッテリ１０＃２に接続された第２変換装置１１０＃２を選択し、第２変換装置１１０＃２がバッテリ１０＃２から電源供給を受けて前記ＤＣ電源に変換し、前記ＤＣ電源を第２電力変換装置１２０のそれぞれに送るように制御してもよい。
【０１９２】
制御部１４０は、第２電力変換装置１２０に前記ＤＣ電源を送っている第１電力変換装置１１０及び第１電力変換装置１１０に対応する電源供給源１０のいずれか１つ以上に異常が発生すると、第１電力変換装置１１０以外の他の第１電力変換装置１１０により第２電力変換装置１２０に前記ＤＣ電源を送るように制御してもよい。
【０１９３】
制御部１４０は、第２電力変換装置１２０に前記ＤＣ電源を送っている第１電力変換装置１１０及び第１電力変換装置１１０に対応する電源供給源１０のいずれか１つ以上に異常が発生すると、第１電力変換装置１１０以外の他の第１電力変換装置１１０により第２電力変換装置１２０に前記ＤＣ電源が送られるように、電源供給中の電源供給源１０及び第１電力変換装置１１０を切り替えてもよい。
【０１９４】
例えば、制御部１４０は、第１変換装置１１０＃１が第１交流電源１０＃１から供給された電源を前記ＤＣ電源に変換している間に、第１変換装置１１０＃１が故障したり、第１交流電源１０＃１にシャットダウンが発生すると、第３変換装置１１０＃３が第２交流電源１０＃３から供給された電源を前記ＤＣ電源に変換して前記ＤＣ電源を第２電力変換装置１２０に送るように、電源供給中の第１交流電源１０＃１を第２交流電源１０＃３に切り替え、第１変換装置１１０＃１を第３変換装置１１０＃３に切り替えてもよい。
【０１９５】
この場合、制御部１４０は、第１交流電源１０＃１が第２交流電源１０＃３に切り替えられ、第１変換装置１１０＃１が第３変換装置１１０＃３に切り替えられる間、バッテリ１０＃２から供給された電源を第２変換装置１１０＃２により前記ＤＣ電源に変換し、前記ＤＣ電源を第２電力変換装置１２０に送るように制御してもよい。
【０１９６】
このように１つ以上の第１電力変換装置１１０、第２電力変換装置１２０及び遮断器１３０を制御する制御部１４０は、前記ＤＣ電源又は前記駆動電源の状態によって遮断器１３０の開閉を制御することにより、バスライン１を介しての前記ＤＣ電源の受供給を制御する。
【０１９７】
例えば、前記駆動電源の大きさが負荷２０の必要とする大きさより小さい場合、又は前記ＤＣ電源が不足した場合は、遮断器１３０を閉路してバスライン１から前記ＤＣ電源が供給されるように制御してもよい。
【０１９８】
また、前記駆動電源の大きさが負荷２０の必要とする大きさより大きい場合、又は前記ＤＣ電源に余裕がある場合は、遮断器１３０を閉路してバスライン１に前記ＤＣ電源が供給されるように制御してもよい。
【０１９９】
それとは逆に、１つ以上の第１電力変換装置１１０又は第２電力変換装置１２０に故障が発生して前記出力端に事故電流が流れたり、１つ以上の電源供給源１０又は負荷２０に異常が発生して前記出力端に事故電流が流れた場合は、遮断器１３０を開路して前記事故電流がバスライン１に供給されることを防止するようにしてもよい。
【０２００】
制御部１４０は、１つ以上の電源供給源１０に異常が発生すると、遮断器１３０を閉路し、バスライン１を介して、バスライン１に接続された他の電源供給装置から前記ＤＣ電源が供給されるように制御してもよい。
【０２０１】
制御部１４０は、１つ以上の電源供給源１０に異常が発生すると、１つ以上の電源供給源１０と１つ以上の第１電力変換装置１１０の接続を分離し、遮断器１３０を閉路し、バスライン１を介して、バスライン１に接続された他の電源供給装置から前記ＤＣ電源が供給されるように制御してもよい。
【０２０２】
例えば、１つ以上の電源供給源１０のうち、第１交流電源１０＃１及び第２交流電源１０＃３に異常が発生すると、遮断器１３０を閉路し、バスライン１を介して、バスライン１に接続された他の電源供給装置から前記ＤＣ電源が供給されるように制御してもよい。
【０２０３】
制御部１４０は、バスライン１に接続された他の電源供給装置に異常が発生すると、遮断器１３０を閉路し、バスライン１を介して、前記他の電源供給装置に前記ＤＣ電源が供給されるように制御してもよい。
【０２０４】
制御部１４０は、バスライン１に接続された他の電源供給装置に異常が発生すると、１つ以上の電源供給源１０のいずれかからさらに電源が供給されるように制御し、遮断器１３０を閉路し、バスライン１を介して、さらに電源を供給するように制御される供給源１０及びそれに対応する第１電力変換装置１１０で変換された前記ＤＣ電源が前記他の電源供給装置に供給されるように制御してもよい。
【０２０５】
例えば、１つ以上の電源供給源１０のうち第１交流電源１０＃１から電源が供給されている間に、前記他の電源供給装置に異常が発生すると、遮断器１３０を閉路し、第２交流電源１０＃３からさらに電源が供給されるように第３変換装置１１０＃３を制御し、バスライン１を介して、第３変換装置１１０＃３で変換された前記ＤＣ電源がバスライン１に接続された他の電源供給装置に供給されるように制御してもよい。
【０２０６】
これによる供給装置１００の好ましい実施形態は、図１に示すように、複数の電源供給源１０のそれぞれから供給された電源をＤＣ電源に変換する複数のコンバータ１１０と、前記ＤＣ電源を複数の負荷２０の駆動のための駆動電源に変換し、前記駆動電源を複数の負荷２０に供給する複数のインバータ１２０と、複数のコンバータ１１０の出力が共通に接続される出力端と前記出力端に接続されるバスライン１間に備えられ、前記出力端とバスライン１の接続を断続する遮断器１３０と、前記ＤＣ電源又は前記駆動電源の状態によって遮断器１３０の開閉を制御することにより、バスライン１を介しての前記ＤＣ電源の受供給を制御する制御部１４０とを含んでもよい。
【０２０７】
以上説明したように、バスライン１に連系して前記ＤＣ電源を受供給する供給装置１００は、図４に示すような電源供給システムに含まれ、バスライン１に連系して前記ＤＣ電源を受供給する。
【０２０８】
以下、本発明による電源供給システムについて説明するが、上記内容と重複する部分は可能な限り省略する。
【０２０９】
なお、以上の供給装置１００の説明において参照した図１〜図３と共に前記電源供給システムの実施形態を示す図４〜図８を参照して説明するが、図４〜図８に符号がない場合は図１〜図３の符号を援用するものとする。
【０２１０】
以下に説明する前記電源供給システムの実施形態は、独立して実施することもでき、以上説明した供給装置１００の実施形態と組み合わせて実施することもできる。
【０２１１】
前記電源供給システムは、前述した実施形態及び後述する実施形態の組み合わせ又は区分された形態で実施することができる。
【０２１２】
前記電源供給システムは、複数の電源供給装置が含まれる電源供給システムであってもよい。
【０２１３】
前記電源供給システムは、複数のパッケージ化した電源装置を含んで電源を供給するシステムであってもよい。
【０２１４】
ここで、前記電源装置は、複数の電源制御装置をパッケージ化した電源盤であってもよい。
【０２１５】
前記電源供給システムは、前述した供給装置１００を複数含んでもよい。
【０２１６】
すなわち、供給装置１００は、前記電源供給システムに適用して実施することができ、前記電源供給システムは、供給装置１００を複数含むように実施することができる。
【０２１７】
電源供給システム１０００（以下、システムという）は、図４に示すように、１つ以上の電源供給源１０から供給された電源をＤＣ電源に変換し、前記ＤＣ電源を負荷２０の駆動電源に変換し、負荷２０に供給する複数の電源盤１００、２００、３００、４００と、複数の電源盤１００、２００、３００、４００のそれぞれにおいて前記ＤＣ電源が入出力される電源端が接続され、複数の電源盤１００、２００、３００、４００で変換された前記ＤＣ電源が導通するバスライン１と、前記電源端のそれぞれとバスライン１間に配置される複数の遮断器１３０、２３０、３３０、４３０とを含む。
【０２１８】
システム１０００において、複数の遮断器１３０、２３０、３３０、４３０は、複数の電源盤１００、２００、３００、４００の１つ以上の動作状態によって開閉を変えて、前記電源端とバスライン１間で前記ＤＣ電源を接続又は切断する。
【０２１９】
ここで、複数の電源盤１００、２００、３００、４００のそれぞれは、図１〜図３に示すような電源供給装置１００であってもよい。
【０２２０】
複数の電源盤１００、２００、３００、４００のそれぞれは、図１〜図３に示すように、１つ以上の第１電力変換装置１１０、２１０、３１０、４１０と、１つ以上の第２電力変換装置１２０、２２０、３２０、４２０と、遮断器１３０、２３０、３３０、４３０と、制御部１４０、２４０、３４０、４４０とを含んでもよい。
【０２２１】
また、複数の電源盤１００、２００、３００、４００のそれぞれは、図１〜図３に示すような電源供給装置１００とは異なる構成からなるようにしてもよい。
【０２２２】
電源供給システム１０００は、複数の電源盤１００、２００、３００、４００を複数含み、複数の電源盤１００、２００、３００、４００が１つのバスライン１に共通に接続されるようにしてもよい。
【０２２３】
複数の電源盤１００、２００、３００、４００は、複数からなるが、図４に示すように４つ以上からなるようにしてもよい。
【０２２４】
複数の電源盤１００、２００、３００、４００は、５つ以上からなることが好ましい。
【０２２５】
複数の電源盤１００、２００、３００、４００のそれぞれは、１つ以上の電源供給源１０のそれぞれから供給された電源を前記ＤＣ電源に変換し、前記ＤＣ電源を前記駆動電源に変換し、前記駆動電源を負荷２０のそれぞれに供給するようにしてもよい。
【０２２６】
１つ以上の電源供給源１０は、図２及び図３に示すように、ＡＣ電源を供給する第１交流電源１０＃１及び第２交流電源１０＃３と、ＤＣ電源を蓄えるバッテリ電源１０＃２とを含んでもよい。
【０２２７】
ここで、第１交流電源１０＃１はＡＣ電源を供給する主系統電源Ｇであり、第２交流電源１０＃３はＡＣ電源を供給するバイパス系統電源Ｐであり、バッテリ電源１０＃２はＤＣ電源を供給するバッテリ電源Ｂであってもよい。
【０２２８】
すなわち、１つ以上の電源供給源１０は、図４に示すように、系統電源Ｇ、バイパス電源Ｐ及びバッテリ電源Ｂを含んでもよい。
【０２２９】
よって、複数の電源盤１００、２００、３００、４００のそれぞれには、系統電源Ｇ、バイパス電源Ｐ及びバッテリ電源Ｂのそれぞれから電源が供給されることになる。
【０２３０】
バッテリ電源Ｂには前記ＤＣ電源が蓄えられており、第１交流電源１０＃１及び第２交流電源１０＃３の電源供給が中断されると、前記電源供給が切り替えられて復旧される間、バッテリ電源Ｂに蓄えられた電源が複数の電源盤１００、２００、３００、４００に供給されるようにしてもよい。
【０２３１】
バッテリ電源Ｂは、前記電源供給が中断されてから前記電源供給が切り替えられて復旧されるまで、前記蓄えられた電源を複数の電源盤１００、２００、３００、４００に無瞬断で供給するようにしてもよい。
【０２３２】
また、１つ以上の電源供給源１０は、第１交流電源Ｇ、第２交流電源Ｐ及びバッテリ電源Ｂの電源供給が中断されると、非常発電電源を負荷２０に供給する非常用電源Ａをさらに含んでもよい。
【０２３３】
非常用電源Ａは、第１交流電源Ｇ、第２交流電源Ｐ及びバッテリ電源Ｂに異常が発生すると、非常発電電源を負荷２０に供給するようにしてもよい。
【０２３４】
非常用電源Ａは、複数の電源盤１００、２００、３００、４００のそれぞれに電源を供給する第１交流電源Ｇ、第２交流電源Ｐ及びバッテリ電源Ｂの全てに異常が発生して電源を供給できない場合、非常用電源を負荷２０のそれぞれに供給して負荷２０の駆動を所定時間維持する電源であってもよい。
【０２３５】
例えば、非常用電源Ａは、非常用発電機を含む電源であってもよい。
【０２３６】
複数の電源盤１００、２００、３００、４００のそれぞれには、図４に示すように、３つの電源供給源１０、すなわち系統電源Ｇ、バイパス電源Ｐ及びバッテリ電源Ｂから電源が供給され、非常用電源Ａからは系統電源Ｇ、バイパス電源Ｐ及びバッテリ電源Ｂが電源を供給できない場合にのみ電源が供給されることが好ましい。
【０２３７】
ここで、複数の電源盤１００、２００、３００、４００のそれぞれに電源を供給する１つ以上の電源供給源１０のそれぞれは、１つの系統から複数の電源盤１００、２００、３００、４００のそれぞれに電源を供給するようにしてもよく、分離された配電盤により分離された配電盤のそれぞれから複数の電源盤１００、２００、３００、４００のそれぞれに電源を供給するようにしてもよい。
【０２３８】
複数の電源盤１００、２００、３００、４００のそれぞれは、１つ以上の電源供給源１０から供給された電源を前記ＤＣ電源に変換する１つ以上の第１電力変換装置１１０、２１０、３１０、４１０と、１つ以上の第１電力変換装置１１０、２１０、３１０、４１０から供給された前記ＤＣ電源を前記駆動電源に変換して負荷２０に供給する第２電力変換装置１２０、２２０、３２０、４２０とを含んでもよい。
【０２３９】
ここで、１つ以上の第１電力変換装置１１０、２１０、３１０、４１０及び第２電力変換装置１２０、２２０、３２０、４２０は、複数からなるようにしてもよい。
【０２４０】
複数の電源盤１００、２００、３００、４００のそれぞれは、１つ以上の電源供給源１０のそれぞれから電源供給を受け、供給された電源を複数の第１電力変換装置１１０、２１０、３１０、４１０により前記ＤＣ電源に変換し、前記ＤＣ電源を複数のインバータ１２０、２２０、３２０、４２０により前記駆動電源に変換して負荷２０に供給するようにしてもよい。
【０２４１】
複数の電源盤１００、２００、３００、４００は、１つ以上の電源供給源１０の状態によって、１つ以上の第１電力変換装置１１０、２１０、３１０、４１０のいずれかにより第２電力変換装置１２０、２２０、３２０、４２０に前記ＤＣ電源を供給するようにしてもよい。
【０２４２】
複数の電源盤１００、２００、３００、４００は、第２電力変換装置１２０、２２０、３２０、４２０に前記ＤＣ電源を供給する変換装置１１０、２１０、３１０、４１０の電源供給が中断されると、変換装置１１０、２１０、３１０、４１０以外の他の変換装置により第２電力変換装置１２０、２２０、３２０、４２０に前記ＤＣ電源を供給するようにしてもよい。
【０２４３】
この場合、１つ以上の第１電力変換装置１１０、２１０、３１０、４１０は、前記変換装置が前記他の変換装置に切り替えられる間、バッテリ電源Ｂから電源供給を受ける変換装置１１０＃２、２１０＃２、３１０＃２、４１０＃２により第２電力変換装置１２０、２２０、３２０、４２０に前記ＤＣ電源を供給するようにしてもよい。
【０２４４】
複数の電源盤１００、２００、３００、４００のそれぞれは、１つ以上の電源供給源１０のそれぞれに接続される３つの変換装置を含むことが好ましい。
【０２４５】
複数の電源盤１００、２００、３００、４００のそれぞれに含まれる複数の第１電力変換装置１１０、２１０、３１０、４１０のそれぞれは、前記ＤＣ電源が出力される出力端が１つに接続されるようにしてもよい。
【０２４６】
よって、複数の第１電力変換装置１１０、２１０、３１０、４１０のそれぞれの出力端は、前記ＤＣ電源が流れるＤＣ電路を形成することになる。
【０２４７】
複数の第１電力変換装置１１０、２１０、３１０、４１０のそれぞれで変換された前記ＤＣ電源は、複数の第１電力変換装置１１０、２１０、３１０、４１０のそれぞれの前記出力端を介して、複数の第２電力変換装置１２０、２２０、３２０、４２０のそれぞれに送られるようにしてもよい。
【０２４８】
複数の電源盤１００、２００、３００、４００のそれぞれは、図４に示すように、３つのインバータ１２０、２２０、３２０、４２０を含み、３つのインバータ１２０、２２０、３２０、４２０により３つの負荷２０のそれぞれに前記駆動電源を供給することが好ましい。
【０２４９】
複数の電源盤１００、２００、３００、４００のそれぞれは、図４に示すように、複数の第１電力変換装置１１０、２１０、３１０、４１０のそれぞれの前記出力端とバスライン１が接続される電路のそれぞれに備えられ、バスライン１の接続を断続する遮断器１３０、２３０、３３０、４３０をそれぞれ含むことが好ましい。
【０２５０】
よって、複数の電源盤１００、２００、３００、４００のそれぞれは、前記電源端のそれぞれがバスライン１に共通に接続される。
【０２５１】
複数の遮断器１３０、２３０、３３０、４３０のそれぞれは、ＤＣ電源を遮断するＤＣ遮断器であり、前記電源端とバスライン１間の電路に配置されて備えられてもよい。
【０２５２】
複数の遮断器１３０、２３０、３３０、４３０のそれぞれは、平時に開路され、動作時に閉路されることにより、前記出力端とバスライン１の接続を断続するようにしてもよい。
【０２５３】
よって、複数の電源盤１００、２００、３００、４００のそれぞれは、複数の遮断器１３０、２３０、３３０、４３０のそれぞれの開閉によりバスライン１に接続される。
【０２５４】
複数の遮断器１３０、２３０、３３０、４３０は、前記電源端とバスライン１間で前記ＤＣ電源を接続する場合に閉路され、前記電源端とバスライン１間で前記ＤＣ電源を切断する場合に開路されるようにしてもよい。
【０２５５】
バスライン１は、ＤＣ電源が流れるＤＣバスラインであり、複数の電源盤１００、２００、３００、４００のそれぞれの前記出力端を介して送られたＤＣ電源が流れるようにしてもよい。
【０２５６】
すなわち、バスライン１は、複数の遮断器１３０、２３０、３３０、４３０のそれぞれの開閉により前記ＤＣ電源が流れるようにしてもよい。
【０２５７】
複数の遮断器１３０、２３０、３３０、４３０は、複数の電源盤１００、２００、３００、４００の１つ以上の電源供給が中断されると、前記電源供給が中断された電源盤の遮断器と前記電源供給が中断された電源盤に隣接する電源盤の遮断器が閉路され、前記電源供給が中断された電源盤と前記隣接する電源盤がバスライン１に接続され、前記隣接する電源盤から前記電源供給が中断された電源盤に前記ＤＣ電源が供給されるようにしてもよい。
【０２５８】
この場合、前記電源供給が中断された電源盤は、前記電源供給が中断されてから前記隣接する電源盤から導通した前記ＤＣ電源が供給されるまで、バッテリ電源Ｂに接続された変換装置から前記ＤＣ電源が供給されるようにしてもよい。
【０２５９】
複数の電源盤１００、２００、３００、４００のそれぞれは、それぞれに含まれる複数の第１電力変換装置１１０、２１０、３１０、４１０及び複数のインバータ１２０、２２０、３２０、４２０の動作を制御及び監視するようにしてもよい。
【０２６０】
複数の電源盤１００、２００、３００、４００のそれぞれは、それぞれに含まれる複数の第１電力変換装置１１０、２１０、３１０、４１０及び複数のインバータ１２０、２２０、３２０、４２０の動作を制御及び監視した結果に基づいて、複数の遮断器１３０、２３０、３３０、４３０のそれぞれの開閉を制御するようにしてもよい。
【０２６１】
複数の電源盤１００、２００、３００、４００のそれぞれは、それぞれに含まれる複数の第１電力変換装置１１０、２１０、３１０、４１０及び複数のインバータ１２０、２２０、３２０、４２０の動作を制御及び監視した結果を制御装置６００に送信するようにしてもよい。
【０２６２】
複数の電源盤１００、２００、３００、４００のそれぞれは、それぞれに含まれる複数の第１電力変換装置１１０、２１０、３１０、４１０及び複数のインバータ１２０、２２０、３２０、４２０の動作を制御及び監視し、前記ＤＣ電源及び前記駆動電源の状態を検出するようにしてもよい。
【０２６３】
複数の電源盤１００、２００、３００、４００のそれぞれは、前記ＤＣ電源及び前記駆動電源の状態を検出し、検出結果を制御装置６００に送信するようにしてもよい。
【０２６４】
複数の電源盤１００、２００、３００、４００のそれぞれは、１つ以上の電源供給源１０のいずれかから供給された電源を前記ＤＣ電源に変換するようにしてもよい。
【０２６５】
すなわち、複数の電源盤１００、２００、３００、４００のそれぞれは、１つ以上の電源供給源１０のいずれかから選択的に電源供給を受けるようにしてもよい。
【０２６６】
複数の電源盤１００、２００、３００、４００のそれぞれは、予め設定された供給基準に基づいて、１つ以上の電源供給源１０のいずれかから供給された電源を前記ＤＣ電源に変換するようにしてもよい。
【０２６７】
前記供給基準は、１つ以上の電源供給源１０の電源供給優先順位に関する基準であってもよい。
【０２６８】
複数の電源盤１００、２００、３００、４００は、１つ以上の電源供給源１０の状態によって複数の第１電力変換装置１１０、２１０、３１０、４１０のいずれかを選択し、選択した第１電力変換装置により複数のインバータ１２０、２２０、３２０、４２０のそれぞれに前記ＤＣ電源を送るようにしてもよい。
【０２６９】
すなわち、複数の電源盤１００、２００、３００、４００のそれぞれは、１つ以上の電源供給源１０の状態によって選択した１つの第１電力変換装置により複数のインバータ１２０、２２０、３２０、４２０のそれぞれに前記ＤＣ電源を送るようにしてもよい。
【０２７０】
複数の電源盤１００、２００、３００、４００は、複数のインバータ１２０、２２０、３２０、４２０に前記ＤＣ電源を送っている変換装置及び前記変換装置に対応する電源供給源１０のいずれか１つ以上に異常が発生すると、前記変換装置以外の他の変換装置により複数のインバータ１２０、２２０、３２０、４２０に前記ＤＣ電源を送るようにしてもよい。
【０２７１】
すなわち、複数の電源盤１００、２００、３００、４００のそれぞれは、前記ＤＣ電源を送っている変換装置及び前記変換装置に対応する電源供給源１０のいずれか１つ以上に異常が発生すると、前記変換装置以外の他の変換装置に切り替え、切り替えられた変換装置により複数のインバータ１２０、２２０、３２０、４２０に前記ＤＣ電源を送るようにしてもよい。
【０２７２】
複数の電源盤１００、２００、３００、４００は、複数のインバータ１２０、２２０、３２０、４２０に前記ＤＣ電源を送っている変換装置及び前記変換装置に対応する電源供給源１０のいずれか１つ以上に異常が発生すると、前記変換装置以外の他の変換装置により複数のインバータ１２０、２２０、３２０、４２０に前記ＤＣ電源が送られるように、電源供給中の電源供給源及び変換装置を切り替えてもよい。
【０２７３】
このようなシステム１０００は、複数の電源盤１００、２００、３００、４００及び複数の遮断器１３０、２３０、３３０、４３０の少なくとも１つの状態を監視し、監視結果に基づいて複数の電源盤１００、２００、３００、４００及び複数の遮断器１３０、２３０、３３０、４３０の少なくとも１つを制御する制御装置６００をさらに含んでもよい。
【０２７４】
このように、前記ＤＣ電源の変換及び供給を行う複数の電源盤１００、２００、３００、４００は、制御装置６００により制御されるようにしてもよい。
【０２７５】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれを制御してもよい。
【０２７６】
例えば、複数の電源盤１００、２００、３００、４００のそれぞれから受信した前記ＤＣ電源及び前記駆動電源の状態情報に基づいて、複数の電源盤１００、２００、３００、４００のそれぞれの前記ＤＣ電源の変換及び供給と前記駆動電源の変換及び供給を制御してもよい。
【０２７７】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれの前記駆動電源の変換及び供給を制御するか、又は複数の電源盤１００、２００、３００、４００のそれぞれに含まれる複数の遮断器１３０、２３０、３３０、４３０を制御してもよい。
【０２７８】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００、４００のそれぞれの前記駆動電源の変換及び供給を制御するか、又は複数の電源盤１００、２００、３００、４００のそれぞれに含まれる複数の遮断器１３０、２３０、３３０、４３０を制御してもよい。
【０２７９】
この場合、制御装置６００が複数の電源盤１００、２００、３００、４００のそれぞれの前記駆動電源の変換及び供給の制御、又は複数の電源盤１００、２００、３００、４００のそれぞれに含まれる複数の遮断器１３０、２３０、３３０、４３０の制御に関する制御命令を、複数の電源盤１００、２００、３００、４００のそれぞれに送り、複数の電源盤１００、２００、３００、４００のそれぞれに含まれる制御部１４０、２４０、３４０、４４０により前記制御命令に基づいた制御が行われる。
【０２８０】
例えば、複数の電源盤１００、２００、３００、４００に電源を供給している系統電源Ｇ全体に異常が発生すると、系統電源Ｇからの電源供給を遮断して他の供給源に切り替えるように、複数の遮断器１３０、２３０、３３０、４３０を開路し、系統電源Ｇを除く電源から電源供給を受けて前記ＤＣ電源に変換して供給するように制御する制御命令を複数の電源盤１００、２００、３００、４００のそれぞれに含まれる制御部１４０、２４０、３４０、４４０に送り、複数の遮断器１３０、２３０、３３０、４３０のそれぞれを開路し、バイパス電源Ｐ又はバッテリ電源Ｂから電源供給を受けて前記ＤＣ電源に変換して供給するように制御してもよい。
【０２８１】
制御装置６００は、複数の電源盤１００、２００、３００、４００のいずれか１つ以上に異常が発生すると、前記異常が発生した電源盤及び当該電源盤に最も隣接する電源盤の遮断器１３０、２３０、３３０、４３０を閉路し、バスライン１を介して、前記隣接する電源盤から前記異常が発生した電源盤に前記ＤＣ電源が供給されるように制御してもよい。
【０２８２】
例えば、複数の電源盤１００、２００、３００、４００のうち第１電源盤１００の第１電力変換装置１１０に故障が発生すると、バスライン１を介して第１電源盤１００に最も隣接する第２電源盤２００のいずれかの第１電力変換装置２１０で変換されたＤＣ電源を第１電源盤１００の第２電力変換装置１２０に供給するように、第１電源盤１００の遮断器１３０及び第２電源盤２００の遮断器２３０を閉路し、第１電源盤１００の１つ以上の第１電力変換装置１１０を遮断し、バスライン１を介して第２電源盤２００の複数の第１電力変換装置２１０のいずれかで変換された前記ＤＣ電源を第１電源盤１００の第２電力変換装置１２０に供給するように制御する制御命令を第１電源盤１００及び第２電源盤２００のそれぞれに送り、第１電源盤１００の遮断器１３０及び第２電源盤２００の遮断器２３０を閉路し、バスライン１を介して第２電源盤２００の複数の第１電力変換装置２１０のいずれかが前記ＤＣ電源を第１電源盤１００の第２電力変換装置１２０に供給するように制御してもよい。
【０２８３】
このように、複数の電源盤１００、２００、３００、４００のいずれか１つ以上に異常が発生すると、バスライン１を介して前記隣接する電源盤から前記ＤＣ電源が供給されるように制御することにより、複数の電源盤１００、２００、３００、４００のそれぞれが複数の電源盤１００、２００、３００、４００間でＵＰＳ機能を実行することができる。
【０２８４】
よって、電源供給システム１０００においては、１つ以上の電源供給源１０、複数の電源盤１００、２００、３００、４００及び負荷２０に予期せぬ異常が発生した場合も、負荷２０への前記駆動電源の供給を維持し続けることができ、負荷２０の運転を中断することなく維持することができ、異常発生に対処して適切かつ能動的に電源供給を行うことができ、異常発生の種類及び程度に関係なく負荷２０の運転及び電源供給システム１０００の制御を安定して行うことができる。
【０２８５】
以上説明したような電源供給システム１０００の運転は、図５〜図８に示すように行われるようにしてもよい。
【０２８６】
図５〜図８に示す運転例は、電源供給システム１０００が５つの電源盤１００、２００、３００、４００、５００を含む場合の運転例であり、電源供給システム１０００は、複数の電源盤１００、２００、３００、４００、５００を５つ未満又は５つ以上含んでもよい。
【０２８７】
好ましい実施形態として、電源供給システム１０００は、図５〜図８に示すように、５つの電源盤１００、２００、３００、４００、５００を含んでもよい。以下、図５〜図８に示すように複数の電源盤１００、２００、３００、４００、５００が５つである場合を例に挙げて説明する。
【０２８８】
図５は複数の電源盤１００、２００、３００、４００、５００のそれぞれが１つ以上の電源供給源１０のうち系統電源Ｇから電源供給を受ける場合であり、この場合、バイパス電源Ｐ及びバッテリ電源Ｂからの電源供給は遮断され、系統電源Ｇから電源供給を受けて前記ＤＣ電源、前記駆動電源の順に変換して負荷２０のそれぞれに供給する。
【０２８９】
図５に示す運転例は、系統電源Ｇから電源供給を受けて運転する一般的な運転の場合であり、電源供給システム１０００の平時運転はこのように行われる。
【０２９０】
図６は複数の電源盤１００、２００、３００、４００、５００のそれぞれが１つ以上の電源供給源１０のうちバイパス電源Ｐから電源供給を受ける場合であり、系統電源Ｇに異常が発生した場合がこれに該当し、この場合、系統電源Ｇ及びバッテリ電源Ｂからの電源供給は遮断され、バイパス電源Ｐから電源供給を受けて前記ＤＣ電源、前記駆動電源の順に変換して負荷２０のそれぞれに供給する。
【０２９１】
図６に示す運転例は、バイパス電源Ｐから電源供給を受けて運転する特殊運転の場合であり、電源供給システム１０００の特殊運転はこのように行われる。
【０２９２】
図７は複数の電源盤１００、２００、３００、４００、５００のそれぞれが１つ以上の電源供給源１０のうちバッテリ電源Ｂから電源供給を受ける場合であり、系統電源Ｇ及びバイパス電源Ｐに異常が発生した場合がこれに該当し、この場合、系統電源Ｇ及びバイパス電源Ｐからの電源供給は遮断され、バッテリ電源Ｂから電源供給を受けて前記ＤＣ電源、前記駆動電源の順に変換して負荷２０のそれぞれに供給する。
【０２９３】
図７に示す運転例は、バッテリ電源Ｂから電源供給を受けて運転する停電運転の場合であり、電源供給システム１０００の停電運転はこのように行われる。
【０２９４】
図８は複数の電源盤１００、２００、３００、４００、５００のそれぞれが１つ以上の電源供給源１０のうち非常用電源Ａから電源供給を受ける場合であり、系統電源Ｇ、バイパス電源Ｐ及びバッテリ電源Ｂに異常が発生した場合がこれに該当し、この場合、系統電源Ｇ、バイパス電源Ｐ及びバッテリ電源Ｂからの電源供給は遮断され、非常用電源Ａが負荷２０のそれぞれに前記駆動電源を直接供給する。
【０２９５】
図８に示す運転例は、非常用電源Ａから電源供給を受けて運転する非常運転の場合であり、電源供給システム１０００の非常運転はこのように行われる。
【０２９６】
このように、電源供給システム１０００は、複数の電源盤１００、２００、３００、４００、５００のそれぞれが同じ電源供給源から電源供給を受けて運転するようにしてもよく、複数の電源盤１００、２００、３００、４００、５００のそれぞれが１つ以上の電源供給源１０のいずれかから選択的に電源供給を受けて運転するようにしてもよい。
【０２９７】
例えば、第１及び第２電源盤１００、２００は系統電源Ｇから電源供給を受けて運転し、第３及び第４電源盤３００、４００はバイパス電源Ｐから電源供給を受けて運転し、第５電源盤５００はバッテリ電源Ｂから電源供給を受けて運転するようにしてもよい。
【０２９８】
また、複数の電源盤１００、２００、３００、４００、５００のそれぞれは、１つ以上の電源供給源１０から電源供給を受けて運転するようにしてもよい。
【０２９９】
例えば、第１電源盤１００に異常が発生して第２電源盤２００から第１電源盤１００に前記ＤＣ電源を供給する場合、第２電源盤２００が、系統電源Ｇから供給された電源を第２−１変換装置２１０＃１により前記ＤＣ電源に変換して複数のインバータ２２０のそれぞれに送り、さらにバイパス電源Ｐから供給された電源を第２−３変換装置２１０＃３により前記ＤＣ電源に変換し、バスライン１を介して第２−３変換装置２１０＃３で変換された前記ＤＣ電源を第１電源盤１００の第２電力変換装置１２０のそれぞれに送るようにしてもよい。
【０３００】
この例においては、第１電源盤１００の遮断器１３０及び第２電源盤２００の遮断器２３０を閉路することにより、第１電源盤１００と第２電源盤２００がバスライン１に接続され、バスライン１を介して第２電源盤２００から第１電源盤１００への前記ＤＣ電源の供給が行われる。
【０３０１】
このように、複数の電源盤１００、２００、３００、４００、５００のそれぞれが１つ以上の電源供給源１０から電源供給を受けて運転することにより、複数の電源盤１００、２００、３００、４００、５００間の電源供給、すなわち複数の電源盤１００、２００、３００、４００、５００間のＵＰＳ機能の実行を行うことができる。
【０３０２】
前述したような本発明の実施形態による電源供給装置及び電源供給システムは、ＤＣ電源を供給／使用する電源供給装置、電源供給システム、電源供給システムの運用方法に適用することができる。特に、ＤＣ ＵＰＳモジュール及びそれを備える電源供給システムに有効に適用することができ、複数のモータ負荷を制御するモータ制御盤、モータ制御システム、モータ運転システムなどにも適用して実施することができる。
【０３０３】
以上、本発明の具体的な実施形態について説明したが、本発明の範囲から外れない限り、様々な変形が可能であることは言うまでもない。よって、本発明の範囲は、上記実施形態に限定して定められるものではなく、請求の範囲及びその均等物などにより定められるべきである。
【０３０４】
以上、本発明を限定された実施形態と図面により説明したが、本発明は、上記実施形態に限定されるものではなく、本発明の属する技術の分野における通常の知識を有する者であれば、その記載から様々な変更及び変形が可能である。よって、本発明の思想は、請求の範囲によってのみ把握されるべきであり、その均等又は等価的変形の全てが本発明の思想の範疇に属するといえる。
【符号の説明】
【０３０５】
１０  電源供給源
２０  負荷
１００（２００、３００、４００）  電源供給装置（電源盤）
１１０（２１０、３１０、４１０）  第１電力変換装置（コンバータ）
１２０（２２０、３２０、４２０）  第２電力変換装置（インバータ）
１３０（２３０、３３０、４３０）  遮断器
１４０（２４０、３４０、４４０）  制御部
６００  制御装置
１０００  電源供給システム
【図１】
2021536217.tif 000003
【図２】
2021536217.tif 000004
【図３】
2021536217.tif 000005
【図４】
2021536217.tif 000006
【図５】
2021536217.tif 000007
【図６】
2021536217.tif 000008
【図７】
2021536217.tif 000009
【図８】
2021536217.tif 000010
【国際調査報告】
2021536217.tif 000011
2021536217.tif 000012
2021536217.tif 000013
2021536217.tif 000014